(57)【要約】【課題】本願発明の目的は、ばねの動きを妨げることなく、スクリーンの繰り出し及び巻き取りをスムーズに行うことができ、使用性がよいロールシェードを提供することである。【解決手段】内周面３１より複数の位置決め突起３２が内向きに形成されているローラー３と、ローラー３内で軸方向に延伸した支軸６１と、支軸６１の第２開放端部に回転可能に外嵌するエンドプラグ６２と、ローラー３内に嵌入され、エンドプラグ６２から間隔をおいて支軸６１に固定されるように外嵌する固定プラグ６３と、支軸６１に外嵌してローラー３内に配置されるばね６４と、を備え、ローラー３とばね６４との間には、ブッシュ部材６５が更に設けられ、ブッシュ部材は、位置決め突起３２に摩擦接触して軸方向の移動を防止する外周面を有すると共に、ばね６４が捩られる際に変形しないプラスチック素材からなっていることを特徴とするロールシェードを提供する。【選択図】図２
2012057364.tif 000002
【特許請求の範囲】
【請求項１】
軸方向に延伸する中空状のローラーであって、第１の開放端部及び軸方向に関して、この第１の開放端部と反対側にある第２の開放端部と、内周面と、を有し、前記内周面より複数の位置決め突起が内向きに形成されているローラーと、
前記ローラーに巻きつけられ、巻き取られた状態と繰り出された状態との間で操作可能なスクリーンと、
前記ローラー内に設けられ、前記第１の開放端部から外部に延伸したラッチ手段と、
前記ローラー内で軸方向に沿って延伸し、前記第２の開放端部から外部に延伸した支軸と、
前記第２の開放端部に隣接し、前記ローラーと共に回転できるように前記ローラー内に嵌入され、さらに前記支軸に回転可能に外嵌するエンドプラグと、
前記ローラー内に嵌入され、前記エンドプラグから軸方向に間隔をおいて前記支軸に固定されるように外嵌する固定プラグと、
前記支軸に外嵌して前記ローラー内に配置され、前記固定プラグに隣接して前記支軸に固定接続された一端と、前記エンドプラグに固定接続された他端と、を有するばねであって、前記ローラーが、前記スクリーンが巻き取られた状態から繰り出された状態へと操作されるとき、前記ローラー内で前記ばねのピッチが変化するように捩られるばねと、
を備え、
前記ローラーと前記ばねとの間には、ブッシュ部材が更に設けられ、前記ブッシュ部材は、前記位置決め突起に摩擦接触して軸方向の移動を防止する外周面を有すると共に、前記ブッシュ部材は、前記ばねが捩られる際に変形しないプラスチック素材からなっていることを特徴とするロールシェード。
【発明の詳細な説明】
【技術分野】
【０００１】
本発明は、ロールシェードに関し、特に、スクリーンの繰り出し及び巻き取りをスムーズに行うことができるロールシェードに関する。
【背景技術】
【０００２】
図５及び図６に示すように、従来のロールシェード１は、スクリーン１４が巻きつけられるように所定の軸方向に長く延伸した中空状のローラー１１と、ローラー１１の両端部にそれぞれ取り付けられたラッチ手段１２及び巻取手段１３と、を備えている。巻取手段１３は、ローラー内１１に長く延伸した支軸１３１と、支軸１３１の外側端部に枢接してローラー１１の片方の端を塞ぐ外側プラグ１３２と、ローラー１１内に設けられ、外部プラグ１３２と間隔をおいて支軸１３１の内側端部に設けられた内部プラグ１３３と、支軸１３１の外周に巻きつけられており、その両端部がそれぞれ支軸１３１の内側端部と外部プラグ１３２とに連結され、スクリーン１４の繰り出し及び巻き取りに伴ってピッチ６４０が変化するように捩られるばね１３４と、を有する。
【０００３】
一般的にローラー１１は、金属製であり、スクリーン１４の繰り出し及び巻き取りの際、ばね１３４がローラー１１に直接当たって音をたてないように、ばね１３４の外側に布などのブッシュ１３６を摺動して被せ、ばね１３４全体を覆うようにしている。
【発明の概要】
【発明が解決しようとする課題】
【０００４】
しかしながら、ブッシュ１３６は柔らかい素材であるため、ばね１３４に被せる作業に手間がかかる上、ばね１３４の捩りによってピッチ１３５が変化し、その間にブッシュ１３６が入り込んで挟まれてしまうことがあり、挟まれたブッシュ１３６はピッチ１３５が大きくなっても復元しないので、ばね１３４の動きが妨げられる。ロールシェード１が繰り返し使用されると、はね１３４が繰り返し捩られ、ばね１３４にブッシュ１３６が絡まって、スクリーン１４の繰り出し・巻き取りができなくなり、使用性が低下する。また、ばね１３４に絡まれたブッシュ１３６をきれいに取り除くには、手間がかかるという問題点もある。
【０００５】
本発明は、上記問題点を解消しようとするもので、ばねの動きを妨げることなく、スクリーンの繰り出し及び巻き取りをスムーズに行うことができ、使用性がよいロールシェードを提供することを目的とする。
【課題を解決するための手段】
【０００６】
上記目的を達成するために、本発明は、軸方向に延伸する中空状のローラーであって、第１の開放端部及び軸方向に関して、この第１の開放端部と反対側にある第２の開放端部と、内周面とを有し、前記内周面より複数の位置決め突起が内向きに形成されているローラーと、前記ローラーに巻きつけられ、巻き取られた状態と繰り出された状態との間で操作可能なスクリーンと、前記ローラー内に設けられ、前記第１の開放端部から外部に延伸したラッチ手段と、前記ローラー内で軸方向に沿って延伸し、前記第２の開放端部から外部に延伸した支軸と、前記第２の開放端部に隣接し、前記ローラーと共に回転できるように前記ローラー内に嵌入され、さらに前記支軸に回転可能に外嵌するエンドプラグと、前記ローラー内に嵌入され、前記エンドプラグから軸方向に間隔をおいて前記支軸に固定されるように外嵌する固定プラグと、前記支軸に外嵌して前記ローラー内に配置され、前記固定プラグに隣接して前記支軸に固定接続された一端と、前記エンドプラグに固定接続された他端とを有するばねであって、前記ローラーが、前記スクリーンが巻き取られた状態から繰り出された状態へと操作されるとき、前記ローラー内で前記ばねのピッチが変化するように捩られるばねと、を備え、前記ローラーと前記ばねとの間には、ブッシュ部材が更に設けられ、前記ブッシュ部材は、前記位置決め突起に摩擦接触して軸方向の移動を防止する外周面を有すると共に、前記ブッシュ部材は、前記ばねが捩られる際に変形しないプラスチック素材からなっていることを特徴とするロールシェードを提供する。
【発明の効果】
【０００７】
本発明のロールシェードによれば、ローラー３とばね６４との間に、ばねが捩られる際に変形しないプラスチック製のブッシュ部材６５が設けられ、ローラー３の内周面３１に形成された複数の位置決め突起３２によりブッシュ部材６５が定位されるので、ばねが捩られることによって、ブッシュ部材が寄せられてばねのピッチ６４０間に挟まることがなくなる。従って、ばね６４の動きが妨げられることなく、スクリーン４の繰り出し及び巻き取りをスムーズに行うことができ、使用性を向上させることができる。
【図面の簡単な説明】
【０００８】
【図１】本発明のロールシェードを示す分解斜視図である。
【図２】本発明のロールシェードを示す断面図である。
【図３】図２に示すロールシェードの、スクリーンが巻き取られた状態を示す部分断面図である。
【図４】図２に示すロールシェードの、スクリーンが繰り出された状態を示す部分断面図である。
【図５】従来のロールシェードを示す断面図である。
【図６】従来のロールシェードを示す部分断面図である。
【発明を実施するための形態】
【０００９】
以下、図１〜４を参照して、本発明のロールシェードの好ましい実施形態について説明する。
【００１０】
図１及び図２に示すように、本発明のロールシェードは、スクリーンの繰り出しと巻き取りとができるように、所定の距離を隔てて対向した一対の支持枠９００に、自身の軸線を中心として正逆回転可能に架設されるものであり、軸方向に延伸し、第１の開放端部３３及び軸方向に関してこの第１の開放端部３３と反対側にある第２の開放端部３４を有する中空状のローラー３と、ローラー３に巻きつけられ、巻き取られた状態と繰り出された状態との間で操作可能なスクリーン４と、ローラー３内に設けられ、第１の開放端部３３から外部に延伸したラッチ手段５と、ローラー３内で軸方向に沿って延伸し、第２の開放端部３４から外部に延伸した支軸６１を有する巻取手段６と、支軸６１に外嵌してローラー３内に配置されるばね６４と、ローラー３とばね６４との間に設けられたブッシュ部材６５と、を備えている。なお、スクリーン４とラッチ手段５とは、従来より用いられているものであるので、詳しい説明は省略する。
【００１１】
ローラー３は更に、軸方向に延伸する内周面３１と、内周面３１より内向きに形成されている複数の位置決め突起３２と、を有し、位置決め突起３２は、上下対応するように、ローラー３の軸方向に沿って間隔をおいて形成されている。本実施形態において、ローラー３はアルミニウム合金からなり、位置決め突起３２はそれぞれ、ローラー３の外周面から内周側に押出すことにより、内周面３１から一体的に突出して形成される。ただし、位置決め突起３２の形成方法及び配置は、これに限らない。
【００１２】
巻取手段６は、ローラー３内で軸方向に沿って延伸し、第２の開放端部３４から外部に延伸した支軸６１と、第２の開放端部３４に隣接し、ローラー３と共に回転できるようにローラー３内に嵌入され、さらに支軸６１に回転可能に外嵌するエンドプラグ６２と、ローラー３内に嵌入され、エンドプラグ６２から軸方向に間隔をおいて支軸６１に固定されるように外嵌する固定プラグ６３と、を有する。
【００１３】
ばね６４は、ローラー３内で支軸６１に巻き回されるように装着され、エンドプラグ６２の回転と共に捩られるように設けられている。ばね６４は、固定プラグ６３に隣接して支軸６１に固定接続された一端６４１と、エンドプラグ６２に固定接続された他端６４２と、を有する。ブッシュ部材６５は、ローラー３とばね６４との間に設けられ、ローラー３の位置決め突起３２に摩擦接触して軸方向の移動を防止する外周面を有する。また、ブッシュ部材６５は、ばね６４が捩られる際に変形しないプラスチック素材からなり、位置決め突起３２により定位され、ローラー３の内周面３１に対して動かないようになっている。ブッシュ部材６５は、捩られる際に変形しないようなものであれば他の素材からなっていてもよく、プラスチックの他に金属などを使用することも可能であるが、動作時のこすれによる音の抑制や、軽量化といった観点から、特にプラスチックが好ましい。
【００１４】
なお、支軸６１、エンドプラグ６２、及びばね６４は、従来より用いられているものであるので、詳しい説明は省略する。
【００１５】
また、本実施形態において、巻取手段６を簡単に取り付けることができるようにするため、位置決め突起３２は、巻取手段６をローラー３の内周面３１に取り付けた後に、押出し成形により形成することが好ましい。但し、位置決め突起３２の形成手順は、これに限らない。
【００１６】
図１、図３、及び図４に示すように、当該ロールシェードは、使用時において、ラッチ手段５の一部と支軸６１の一部とがローラー３の外部に突き出し、それぞれが対向した一対の支持枠９００に取り付けられている。
【００１７】
スクリーン４がローラー３に巻き取られ、ばね６４が支軸６１に対して捩られていないとき、ブッシュ部材６５は、ばね６４とローラー３とに対して軸方向に移動しないように、ばね６４の外部と当接しており、ばね６４は、ローラー３と直接的には接触しないようになっている。
【００１８】
スクリーン４がローラー３から繰り出されるとき、スクリーン４の繰り出しによってローラー３が回転されてエンドプラグ６２が共に回転することにより、ばね６４が支軸６１に対して捩られ、ばね６４の外径が小さくなるとともに、ばね６４のピッチ６４０が減少する。このとき、ばね６４の外径がブッジュ部材６５の内径よりも小さくなるが、ブッシュ部材６５は、位置決め突起３２の定位により軸方向に移動できないようになっているので、ばね６４と内周面３１とに対して移動しない。また、ブッシュ部材６５は、ばね６４が捩られる際に変形しないプラスチック素材からなっていることにより、ばね６４が捩られることによって、ブッシュ部材６５が寄せられてばね６４のピッチ６４０内に挟まることがなくなる。
【産業上の利用可能性】
【００１９】
本発明のロールシェードは、プラスチック素材からなるブッシュ部材６５及びローラー３の内周面３１に形成された位置決め突起３２により、ブッシュ部材６５がローラー３の内周面３１に定位されるように構成されており、これに内挿されたばね６４のピッチ６４０が減少するようにばね６４が捩られて、ばね６４の外径が小さくなっても、ブッシュ部材６５が軸方向に移動せず、ブッシュ部材６５が寄せられてばね６４のピッチ６４０に挟まることがないので、ばね６４の動きを妨げることなくスクリーンの繰り出し・巻取りをスムーズに行うことができる。これによって、使用性を向上することができる。
【符号の説明】
【００２０】
１  ロールシェード
３  ローラー
３１  内周面
３３  第１の開放端部
３４  第２の開放端部
３２  位置決め突起
４  スクリーン
５  ラッチ手段
６  巻取手段
６１  支軸
６２  エンドプラグ
６３  固定プラグ
６４  ばね
６４１  一端
６４２  他端
６５  ブッシュ部材
９００  支持枠 
【図１】
2012057364.tif 000003
【図２】
2012057364.tif 000004
【図３】
2012057364.tif 000005
【図４】
2012057364.tif 000006
【図５】
2012057364.tif 000007
【図６】
2012057364.tif 000008